(57)【要約】【課題】需要家に対して節電を行う動機付けやモチベーションを向上させる。【解決手段】実施形態の通信処理装置は、電力会社から供給される電力の使用を調整するアグリゲータが設けたアグリゲータサーバと、商品を販売する小売業者が設けた商品管理サーバと、アグリゲータによる電力の使用の調整対象である需要家が備える携帯可能な通信端末と、に対して通信可能な通信処理装置であって、受信部と、取得部と、送信部と、を備える。受信部は、商品管理サーバから商品の情報を受信する。取得部は、アグリゲータサーバから、第１の時間帯の電力の使用の抑止に協力したことの対価として、アグリゲータから需要家に付与した第１のポイント情報を取得する。送信部は、取得部により取得された第１のポイント情報を利用可能な、商品の広告情報を、需要家の通信端末に送信する。【選択図】図４
2016035752.tif 000002
【特許請求の範囲】
【請求項１】
電力会社から供給される電力の使用を調整するアグリゲータが設けたアグリゲータサーバと、商品を販売する小売業者が設けた商品管理サーバと、前記アグリゲータによる電力の使用の調整対象である需要家が備える携帯可能な通信端末と、に対して通信可能な通信処理装置であって、
前記商品管理サーバから商品の情報を受信する受信部と、
前記アグリゲータサーバから、第１の時間帯の電力の使用の抑止に協力したことの対価として、前記アグリゲータから前記需要家に付与した第１のポイント情報を取得する取得部と、
前記取得部により取得された前記第１のポイント情報を利用可能な、前記商品の広告情報を、前記需要家の通信端末に送信する送信部と、
を備える通信処理装置。
【請求項２】
前記受信部は、さらに、前記アグリゲータサーバから、第１の時間帯の電力の使用を削減させる要求を受信し、
前記送信部は、さらに、受信した前記第１の時間帯で電力の使用を削減させる要求に基づいて、前記第１の時間帯に前記小売業者の店舗にきた又は商品を購入した場合に、前記第１のポイント情報を付与する旨が記載されている広告情報を、前記通信端末に送信する、
請求項１に記載の通信処理装置。
【請求項３】
前記送信部は、前記第１の時間帯で電力の使用を抑止させる要求として、前記小売業者の店舗で商品を購入する時間帯毎に、前記需要家に付与するポイントが異なる旨が記載されている、
請求項２に記載の通信処理装置。
【請求項４】
前記受信部は、さらに、前記需要家の商品の購買履歴を管理する前記小売業者の集計サーバから、前記需要家の購買履歴情報を受信し、
前記受信部は、さらに、前記通信端末から、前記通信端末に設けられた位置情報取得部が取得した、当該通信端末の位置情報を受信し、
前記送信部は、受信した前記需要家の購買履歴情報と、受信した前記商品の情報と、受信した前記位置情報と、に基づいて選択された商品の広告情報を送信する、
請求項１乃至３のいずれか一つに記載の通信処理装置。
【請求項５】
前記取得部が取得した、前記アグリゲータが前記需要家に付与した前記第１のポイント情報を、前記小売業者で商品の購入する際に金銭の代わりとして利用可能な第２のポイント情報に変換するポイント変換部を、
さらに備える請求項１乃至４のいずれか一つに記載の通信処理装置。
【請求項６】
使用電力を調整するアグリゲータが設けたアグリゲータサーバと、商品を販売する小売業者が設けた商品管理サーバと、前記アグリゲータによる使用電力の調整対象である需要家が備える通信端末と、通信可能な通信処理装置であって、
前記アグリゲータサーバから、第１の時間帯における電力の使用を抑止させる第１の要求を受信する受信部と、
前記需要家の通信端末に対して、第１の時間帯に、前記小売業者の前記店舗にきた又は商品を購入した場合に、ポイントを付与する旨が示された広告情報を送信する送信部と、
を備える通信処理装置。
【発明の詳細な説明】
【技術分野】
【０００１】
本発明の実施形態は、通信処理装置に関する。
【背景技術】
【０００２】
従来から、限られたエネルギー資源を有効利用するために、省エネルギーへの取り組みが重要であった。
【０００３】
近年、電力の需要家に節電してもらった場合に、需要家に対して節電量に応じた協力金を支払う仕組みが提案されている。また、協力金の代わりに、受け渡しが容易なポイントとして付与することが考えられる。
【先行技術文献】
【特許文献】
【０００４】
【特許文献１】特開２０１３−２３００５１号公報
【特許文献２】特開２０１３−２５３５９号公報
【発明の概要】
【発明が解決しようとする課題】
【０００５】
しかしながら、従来技術においては、協力金やポイントの付与を行うまでの技術であるが、需要家に対する、節電を行う動機付けやモチベーションについては考慮されていない。
【０００６】
本発明は、上記に鑑みてなされたものであって、需要家に対して節電を行う動機付けやモチベーションを向上させて、省エネルギーを推進させる通信処理装置を提案する。
【課題を解決するための手段】
【０００７】
実施形態の通信処理装置は、電力会社から供給される電力の使用を調整するアグリゲータが設けたアグリゲータサーバと、商品を販売する小売業者が設けた商品管理サーバと、アグリゲータによる電力の使用の調整対象である需要家が備える携帯可能な通信端末と、に対して通信可能な通信処理装置であって、受信部と、取得部と、送信部と、を備える。受信部は、商品管理サーバから商品の情報を受信する。取得部は、アグリゲータサーバから、第１の時間帯の電力の使用の抑止に協力したことの対価として、アグリゲータから需要家に付与した第１のポイント情報を取得する。送信部は、取得部により取得された第１のポイント情報を利用可能な、商品の広告情報を、需要家の通信端末に送信する。
【図面の簡単な説明】
【０００８】
【図１】図１は、実施形態の電力管理システムの構成例を示した図である。
【図２】図２は、ネガワットの概念を例示した図である。
【図３】図３は、実施形態のデータサービス業者のデータサーバで行われるポイントの交換サービスを例示した図である。
【図４】図４は、実施形態のデータサーバの制御部が制御プログラムを実行することで実現される構成例を示した図である。
【図５】図５は、実施形態の広告生成部がメールを生成する際の流れを例示した図である。
【図６】図６は、実施形態のデータサーバの広告生成部により生成される、広告情報の第１の例を示した図である。
【図７】図７は、実施形態のデータサーバの広告生成部により生成される、広告情報の第２の例を示した図である。
【図８】図８は、実施形態のデータサーバの制御部により生成される、節電情報を例示した図である。
【図９】図９は、実施形態のデータサーバの広告生成部により生成される、広告情報の第３の例を示した図である。
【図１０】図１０は、実施形態の電力管理システムにおける需要家に対して節電要求を行うまでの処理の手順を示すシーケンス図である。
【図１１】図１１は、実施形態の電力管理システムにおける、需要家が行った節電から、当該需要家に対して広告を送信するまでの処理の手順を示すシーケンス図である。
【図１２】図１２は、実施形態の電力管理システムにおける、需要家が節電行動に出るような広告情報を送信するまでの処理の手順を示すシーケンス図である。
【発明を実施するための形態】
【０００９】
図１は、本実施形態の電力管理システムの構成例を示した図である。図１に示されるように、本実施形態の電力管理システムには、気象情報会社と、データサービス業者と、小売業者と、電力会社と、アグリゲータと、需要家と、地図情報会社と、が参加している。
【００１０】
アグリゲータは、電力会社から供給可能な電力を購入して、小売業者や需要家に販売する。また、電力会社が、気象情報会社から提供される天気予測等に基づいて、需要家の電力需要が電力会社から購入した電力供給の上限を上回ると推測した場合に、アグリゲータが、需要家に対して、節電を要求してピーク時の電力を低減させる。
【００１１】
ピーク時等に需要家に対して行われる節電要請は、デマンドレスポンス（以下、ＤＲとも称する）と称されている。そして、アグリゲータからの各需要家に対するデマンドレスポンスに従って、需要家が電力の使用を低減させることで生じた電力、換言すれば、節電で得られた電力は、ネガワットと称される。
【００１２】
図２は、ネガワットの概念を例示した図である。図２に示される電力の需要予測曲線２５１が、電力供給の上限を上回ると推測されるため、需要家に対して、デマンドレスポンスを要求した結果、使用電力曲線２５２で示される電力が使用された場合に、需要予測曲線２５１から使用電力曲線２５２を引いた差分が、ネガワットとして生じたことになる。
【００１３】
そして、本実施形態では、ピーク時等に使用される電力を低減させた場合、アグリゲータは、ネガワットを創出したことに対応する報酬を、需要家側に対して支払う。
【００１４】
本実施形態においては、アグリゲータが需要家に対して、ポイントや協力金として、報酬を支払うものとする。ポイントとは、マーケティング・プログラムで使用される一般的なインセンティブの一つであって、顧客が金銭の代わりとして使用可能な数値とする。本実施形態では、企業（例えばアグリゲータ、小売業者）が参加しているマーケティング・プログラム毎に異なる種類のポイントが与えられている。このため、アグリゲータが支払うポイントが、需要家が購入したい商品を販売している小売業者で使用できるとは限らない。そこで、本実施形態のデータサービス業者が、ポイントの変換サービスを提供する。
【００１５】
図３は、本実施形態のデータサービス業者のデータサーバ１２０で行われるポイントの交換サービスを例示した図である。図３に示されるように、本実施形態においては、アグリゲータと小売業者とは複数存在しても良い。上述したように、アグリゲータと、小売業者と、がそれぞれ異なるマーケティング・プログラムに参加している場合がある。このような場合に、データサービス業者のデータサーバ１２０は、需要家が使用したいポイントに変換するサービスを行う。
【００１６】
例えば、需要家が、第１のアグリゲータ４０１が提供するＡポイントを有している場合に、情報端末１８０からデータサーバ１２０にポイント変換サービスを要求する。この場合に、データサーバ１２０は、第１のアグリゲータ４０１が提供するＡポイントを、第１の小売業者４１１のＸポイントや、第２の小売業者４１２のＹポイントや、第３の小売業者４１３のＺポイントに変換する。この際に、データサーバ１２０は、需要者が保持する各アグリゲータや小売業者のポイントを記録する。また、需要家が、第２のアグリゲータ４０２のＢポイントや、第３のアグリゲータ４０３から提供された協力金等も、各小売業者４１１〜４１３のポイントに変換可能とする。
【００１７】
また、需要家が、データサーバ１２０のポイント変換サービスを利用するために、情報端末１８０に、ポイント用アプリケーション１８５を予めインストールしておく必要がある。これにより、需要家は、情報端末１８０から、ポイントに関する様々なサービスを利用可能となる。
【００１８】
図１に戻り、気象情報会社は、公衆ネットワーク１９８と接続可能な気象情報管理サーバ１１０を設けている。気象情報会社は、電力会社やアグリゲータに対して、天気に関する情報を提供する。気象情報管理サーバ１１０は、天気情報管理部１１１と、天候予測部１１２と、通信部１１３と、を備えている。
【００１９】
天気情報管理部１１１は、レーダー・衛星等から収集された天気に関する様々な情報を管理する。天候予測部１１２は、天気情報管理部１１１に管理された情報に基づいて、各地域の天気を予測する。通信部１１３は、電力管理サーバ１６０、アグリゲータサーバ１５０、及びデータサーバ１２０に対して、各地域の天気の予測結果を含む天気や気象に関する情報を送信する。
【００２０】
電力会社は、電力管理サーバ１６０を設けている。電力管理サーバ１６０は、通信部１６１と、制御部１６２と、を備えている。
【００２１】
通信部１６１は、他の装置との間で情報の送受信を行う。制御部１６２は、電力管理サーバ１６０全体を制御する構成であって、図示しない制御プログラムを実行することで、ＤＲ（デマンドレスポンス）制御部１６３と、ネガワット管理部１６４と、協力金演算部１６５と、を実現する。
【００２２】
ＤＲ制御部１６３は、気象情報管理サーバ１１０から送信される天気や気象に関する情報、現在供給している電力量、及び現在使用されている電力量、過去の同じような天候における電力使用量の記録に基づいて、電力の供給量を、電力の使用量が上回る可能性があるか否かを判定する。ＤＲ制御部１６３が、電力の供給量を、電力の使用量が上回ると判定した場合に、通信部１６１を介して、アグリゲータサーバ１５０に対して、デマンドレスポンスの発動を要求する。
【００２３】
ネガワット管理部１６４は、デマンドレスポンスの発動により、創出されたネガワットを管理する。
【００２４】
協力金演算部１６５は、創出されたネガワットに対応する協力金を算出する。そして、協力金演算部１６５は、ネガワットを創出した需要家と契約しているアグリゲータに対して、通信部１６１を介して、協力金を支払うための制御を行う。
【００２５】
需要家の自宅には、電力管理端末１７０と、ホームゲートウェイ１９５と、を設けている。さらに、需要家は、情報端末１８０を所持している。
【００２６】
電力管理端末１７０は、通信部１７１と、表示部１７２と、計測部１７３と、を備え、需要家の家庭や施設内における、電力を管理する。
【００２７】
計測部１７３は、需要家の家庭や施設内で使用されている家電機器毎の電力を計測する。表示部１７２は、計測部１７３による計測結果を表示する。
【００２８】
通信部１７１は、他の装置との間で情報の送受信を行う。例えば、通信部１７１は、計測部１７３による計測結果を、ホームゲートウェイ１９５に送信する。また、通信部１７１は、公衆ネットワーク１９８を介して、計測部１７３による計測結果を、電力会社の電力管理サーバ１６０およびアグリゲータサーバ１５０に送信する。
【００２９】
ホームゲートウェイ１９５は、需要家の家庭や施設内のエネルギーを管理するためのサーバであって、電力管理端末１７０から送信される家電機器毎の電力の計測結果に基づいて、（図示しない）家庭や施設内のネットワークを介して接続されている家電機器を制御する。例えば、ホームゲートウェイ１９５は、アグリゲータサーバ１５０等から節電要求を受け付けた場合に、当該節電要求を満たすように各家電機器を制御できる。
【００３０】
情報端末１８０は、需要家が利用する情報端末であって、通信部１８１と、表示部１８２と、入力部１８３と、制御部１８４と、位置情報取得部１８６と、を備えている。情報端末１８０としては、例えば、需要家が使用する携帯端末、スマートフォン又はタブレット端末などが考えられる。
【００３１】
制御部１８４は、情報端末１８０全体を制御する。また、制御部１８４は、図示しない記憶装置上に記憶されたポイント用アプリケーション１８５を実行することで、制御部１８４内にポイント用アプリケーション１８５に含まれる各構成を実現する。
【００３２】
入力部１８３は、需要家からの操作を入力処理する。表示部１８２は、様々な情報を表示する。通信部１８１は、他の装置との間で情報の送受信を行う。
【００３３】
位置情報取得部１８６は、情報端末１８０に備えられているＧＰＳ（全地球方位システム）による測位機能、または既知のＷｉ−Ｆｉアクセスポイントの位置情報による測位機能、または携帯電話基地局の位置による測位機能に基づいて、情報端末１８０の位置情報を取得する。そして、通信部１８１は、取得された情報端末１８０の位置情報を、公衆ネットワーク１９８を介して、データサーバ１２０に送信する。情報端末１８０の位置情報を送信することで、情報端末１８０の位置に応じた広告情報を提供可能となる。
【００３４】
ポイント用アプリケーション１８５は、小売業者の集計サーバ１３０や、データサービス業者のデータサーバ１２０等と連携して、アグリゲータから付与されたポイントや、小売業者で利用可能なポイント等の情報を表示する。
【００３５】
小売業者は、ＰＯＳ端末１９０と、集計サーバ１３０と、商品管理サーバ１４０と、を設けている。小売業者は、商品の購入を促すために、商品の情報等をデータサービス業者に対して提供する。
【００３６】
ＰＯＳ端末１９０は、需要家が小売業者から商品を購入する際に使用される端末であって、商品販売の売り上げ実績を、集計サーバ１３０に送信する。ＰＯＳ端末１９０は、通信部１９１と、表示部１９２と、入力部１９３と、制御部１９４と、を備えている。
【００３７】
制御部１９４は、ＰＯＳ端末１９０全体を制御する。入力部１９３は、オペレータが購入される商品の識別情報や当該商品の価格等を入力するための構成であって、例えば、キーボードやバーコードリーダーで構成されている。
【００３８】
表示部１９２は、購入される商品の名称、価格、又は個数等を表示するための構成であって、例えば、液晶ディスプレイ等の表示装置で構成されている。
【００３９】
通信部１９１は、他の装置との間で情報の送受信を行う。例えば、通信部１９１は、需要家の情報端末１８０との間で情報を送受信することができる。通信部１９１は、需要家の情報端末１８０と通信を行う際に、ＮＦＣ（Near  Field  Communication）などの無線通信機能を用いても良いし、有線通信機能を用いても良い。
【００４０】
また、需要家が、当該小売業者に対応しているポイントを利用して商品を購入する場合に、通信部１９１は、当該需要家の当該ポイント情報の更新要求を、集計サーバ１３０に対して送信する。
【００４１】
集計サーバ１３０は、通信部１３１と、集計データ記憶部１３２と、制御部１３３と、を備えている。
【００４２】
集計データ記憶部１３２は、ＰＯＳ端末１９０で購入処理が行われた商品に関する情報を管理する。さらに、集計データ記憶部１３２は、顧客毎の商品の購入履歴情報や、顧客毎のポイントに関する情報を記憶する。
【００４３】
制御部１３３は、集計サーバ１３０全体を管理する構成であり、ＰＯＳ端末１９０から送信されてきた、各顧客が購入した商品等が示された会計情報や使用されたポイント情報の更新要求に基づいて、集計データ記憶部１３２を更新する。
【００４４】
通信部１３１は、他の装置との間で情報の送受信を行う。例えば、通信部１３１は、公衆ネットワーク１９８を介して、顧客毎の商品の購入履歴情報を、データサーバ１２０に送信する。
【００４５】
商品管理サーバ１４０は、通信部１４１と、商品データ記憶部１４２と、制御部１４３と、入力部１４４と、を備えている。
【００４６】
入力部１４４は、小売業者の店員から操作を受け付ける。例えば、入力部１４４は、入荷された商品毎の価格の変更等の入力を受け付ける。
【００４７】
商品データ記憶部１４２は、小売業者が販売するための有する商品の在庫情報（例えば点数）や、商品の価格等の情報を記憶する。
【００４８】
制御部１４３は、商品管理サーバ１４０全体を制御する。通信部１４１は、他の装置との間で情報の送受信を行う。例えば、通信部１４１は、公衆ネットワーク１９８を介して、商品データ記憶部１４２に記憶されている商品の在庫情報を、データサーバ１２０に送信する。
【００４９】
アグリゲータは、アグリゲータサーバ１５０を設けている。アグリゲータサーバ１５０は、通信部１５１と、制御部１５２と、を備えている。
【００５０】
通信部１５１は、他の装置との間で情報の送受信を行う。制御部１５２は、アグリゲータサーバ１５０全体を制御する構成であって、図示しない制御プログラムを実行することで、節電要求部１５３と、ネガワット管理部１５４と、ポイント演算部１５５と、を実現する。
【００５１】
節電要求部１５３は、電力管理サーバ１６０からのデマンドレスポンスの発動要請に基づいて、通信部１５１を介して、各需要家のホームゲートウェイ１９５や、情報端末１８０に対して、節電を要求する。
【００５２】
ネガワット管理部１５４は、節電要求に従って、各需要家で創出されたネガワットを管理する。ポイント演算部１５５は、各需要家で創出されたネガワットに対応するものとして、各需要家に受け渡すためのポイントを算出する。なお、ポイント演算部１５５により算出されるポイントの原資は、電力管理サーバ１６０の協力金演算部１６５により算出された協力金とする。
【００５３】
地図情報会社は、公衆ネットワーク１９８と接続可能な地図情報管理サーバ２００を設けている。地図情報会社は、データサービス業者に対して、地図に関する情報を提供する。地図情報管理サーバ２００は、地図情報管理部２０１と、制御部２０２と、通信部２０３と、を備えている。
【００５４】
通信部２０３は、他の装置との間で情報の送受信を行う。例えば、通信部２０３は、データサーバ１２０から、情報端末１８０の位置情報を受信する。
【００５５】
地図情報記憶部２０１は、地図に関する様々なデータを記憶する。例えば、地図情報記憶部２０１は、情報端末１８０から送信されてきた位置情報から、当該地図上の情報端末１８０の現在位置を特定可能な情報を記憶している。
【００５６】
制御部２０２は、地図情報管理サーバ２００の全体制御を行う。例えば、制御部２０２は、地図情報記憶部２０１を参照して、データサーバ１２０から送信された情報端末１８０の位置情報に基づいて、地図情報（情報端末１８０の現在位置周辺の地図情報）を生成する。
【００５７】
通信部２０３は、データサーバ１２０に対して、情報端末１８０の現在位置と周辺の状況とが示された地図情報を送信する。
【００５８】
データサービス業者は、データサーバ１２０を設けている。データサーバ１２０は、制御部１２１と、通信部１２２と、記憶部１２３と、備えている。
【００５９】
記憶部１２３は、気象データ記憶部１２４と、顧客記憶部１２５と、ポイント記憶部１２６と、地図情報記憶部１２７と、を備えている。
【００６０】
気象データ記憶部１２４は、気象情報管理サーバ１１０から送信されてきた、地域毎の天気や気象に関する情報を記憶する。
【００６１】
顧客記憶部１２５は、小売業者が商品を販売する顧客（需要家）に関する情報を記憶する。さらに、顧客記憶部１２５は、小売業者が商品を販売する顧客（需要家）と、アグリゲータが契約している需要家と、の対応関係を記憶している。さらには、顧客記憶部１２５は、需要家の情報端末１８０等に連絡するためのメールアドレスを記憶する。
【００６２】
ポイント記憶部１２６は、需要家がアグリゲータから取得したポイントと、需要家がアグリゲータから取得したポイントを小売業者で使用するために変換したポイントの情報と、を記憶している。
【００６３】
地図情報記憶部１２７は、ポイント記憶部１２６に記憶されたポイントを使用可能な小売業者の各店舗の位置情報と、当該当該店舗の位置を含む地図に関する様々なデータと、を記憶している。例えば、地図情報管理サーバ２００から地図情報が送信されてきた場合に、当該地図情報に含まれている携帯端末１８０の現在の位置情報と、地図情報記憶部１２７に記憶されている小売業者の店舗の位置情報と、から、携帯端末１８０の現在位置と小売業者の店舗との位置関係を認識できる。
【００６４】
本実施形態のデータサーバ１２０は、需要家に対して、ポイント用アプリケーション１８５を提供している。そして、需要家が、情報端末１８０上でポイント用アプリケーション１８５をダウンロードすると、当該ポイント用アプリケーション１８５が実行可能となる。
【００６５】
そして、需要家が、情報端末１８０上でポイント用アプリケーション１８５を実行した際に、様々な初期設定を行う必要がある。需要家が初期設定を行うことで、データサーバ１２０の顧客記憶部１２５に顧客に関する様々な情報が登録される。さらに、情報端末１８０の位置情報を取得するために必要な情報も登録される。これにより、小売業者のポイント使用するために参加したマーケティング・プログラムのユーザＩＤと、アグリゲータからポイントを取得するために参加したマーケティング・プログラムのユーザＩＤと、の対応関係が登録される。これにより、データサーバ１２０は、ポイントの変換が可能となる。
【００６６】
また、データサービス業者は、小売業者と契約する。これにより、データサーバ１２０の顧客記憶部１２５には、集計サーバ１３０から送信された、小売業者のポイントを使用するためにマーケティング・プログラムに参加している顧客（需要家）毎の購入履歴情報を記録する。さらには、データサーバ１２０の顧客記憶部１２５には、商品管理サーバ１４０から送信された、小売業者の在庫情報を記憶する。地図情報記憶部１２７には、小売業者の各店舗の位置情報を記憶する。
【００６７】
同様に、データサービス業者は、アグリゲータとも契約する。これにより、データサーバ１２０のポイント記憶部１２６には、アグリゲータサーバ１５０から送信された、需要家毎に付与されたポイント情報を記録する。
【００６８】
通信部１２２は、他の装置との間で情報の送受信を行う。制御部１２１は、データサーバ１２０全体を制御する構成であって、図示しない制御プログラムを実行することで、図４に示されるように、受信制御部３０１と、ポイント取得部３０２と、ポイント変換部３０３と、広告生成部３０４と、送信制御部３０５と、を実現する。
【００６９】
受信制御部３０１は、気象情報管理サーバ１１０から天気に関する情報や、アグリゲータサーバ１５０から需要家のポイントに関する情報や、商品管理サーバ１４０から商品に関する情報や、情報端末１８０から位置情報や、地図情報管理サーバ２００から地図情報を受信する。
【００７０】
送信制御部３０５は、受信制御部３０１が、情報端末１８０から位置情報を受信した場合に、当該情報端末１８０から位置情報を、地図情報管理サーバ２００に送信する。これにより、受信制御部３０１が、通信部１２２を介して、情報端末１８０の現在位置と周辺の状況とが示された地図情報を受信できる。
【００７１】
ポイント取得部３０２は、受信制御部３０１を介して、アグリゲータサーバ１５０から、ピーク等の時間帯の電力の使用の抑止に協力したことの対価として、アグリゲータから需要家に付与したポイントの情報を取得する。
【００７２】
ポイント変換部３０３は、ポイント取得部３０２が取得した、アグリゲータが需要家に付与したポイントを、小売業者で商品の購入する際に金銭の代わりとして利用可能なポイントに変換する。このポイントの変換は、需要家からの要求に応じてでも良いし、データサーバ１２０が自動的に行っても良い。さらに、ポイントを交換する際の交換率は、どのように設定しても良い。
【００７３】
広告生成部３０４は、気象情報管理サーバ１１０から天気に関する情報、アグリゲータサーバ１５０から需要家のポイントに関する情報、商品管理サーバ１４０から商品に関する情報、情報端末１８０の位置情報、及び情報端末１８０の現在位置が示された地図情報に基づいて、需要家に送信するための広告情報を生成する。
【００７４】
図５は、本実施形態の広告生成部３０４がメールを生成する際の流れを例示した図である。図５に示されるように、データサーバ１２０の通信部１２２は、気象情報管理サーバ１１０から、天気履歴情報、天気予報情報、及び天気予測情報を受信する。さらに、データサーバ１２０の通信部１２２は、アグリゲータサーバ１５０から、デマンドレスポンス要求に関する情報、需要家の個人情報、需要家のポイント情報、需要家の電力使用履歴、及び需要家の電力料金プラン情報を受信する。さらに、データサーバ１２０の通信部１２２は、集計サーバ１３０から、デマンドレスポンス要求に関する情報、需要家の個人情報、需要家のポイント情報、需要家の電力使用履歴、及び需要家の電力料金プラン情報を受信する。さらに、データサーバ１２０の通信部１２２は、地図情報管理サーバ２００から情報端末１８０の位置情報に基づいた地図情報を受信する。
【００７５】
そして、広告生成部３０４が、受信した様々な情報に基づいて、需要家に送信するためのメールを生成する。例えば、デマンドレスポンスに応じて、需要家が節電するような広告情報を生成しても良い。他の例としては、需要家の購買情報に基づいて、需要家の関心が高そうな商品であり、且つ在庫に余裕がある商品を、勧める広告情報を生成しても良い。さらには、需要家の電力使用履歴に基づいて、需要家の生活パターンを予測し、当該生活パターンと一致した商品を勧める広告情報を生成しても良い。
【００７６】
また、広告生成部３０４は、需要家が携帯している情報端末１８０の位置情報に基づいて、地図情報管理サーバ２００を介して、情報端末１８０の現在の位置の近隣の小売業者の店舗を検索し、当該店舗と当該店舗で売りたい商品を勧める広告情報を、当該店舗までの経路が示された地図情報とともに生成しても良い。
【００７７】
さらには、広告生成部３０４は、地図情報記憶部１２７で記録されている需要家の過去の位置情報から、需要家の行動範囲を推定し、地図情報管理サーバ２００を介して、当該行動範囲内の小売業者の店舗を検索し、当該店舗までの経路が示された地図情報を含む広告情報を生成しても良い。
【００７８】
送信制御部３０５は、通信部１８１を介して、広告生成部３０４が生成した広告情報を情報端末１８０に送信する。送信する広告情報としては、例えば、ポイント取得部３０２が取得したポイントや、ポイント変換部３０３により変換されたポイントを利用可能な商品の広告情報が考えられる。
【００７９】
図６は、本実施形態のデータサーバ１２０の広告生成部３０４により生成される、広告情報の第１の例を示した図である。
【００８０】
図６に示される広告情報を生成する際には、受信制御部３０１が、アグリゲータサーバ１５０から、電力に使用量がピークとなる時間帯における電力の使用を抑止させる、いわゆるデマンドレスポンスの要求を受信する。この場合に、送信制御部３０５が、電力の使用を低減させるための情報を、情報端末１８０に対して送信する。そこで、本実施形態の広告生成部３０４では、需要家を、電力の使用を低減させる行動に導くための広告情報を生成する。この広告情報には、ピークになる時間帯に小売業者の店舗にきた又は商品を購入した場合に、ポイント情報を付与する旨が記載されている。さらに、店名の横には地図情報を表示するためのリンクが設定されている。これにより、需要家の外出動機を誘発しやすくしている。
【００８１】
図６に示される広告情報の例では、欄６０１には、アグリゲータサーバ１５０からの節電要求に応じて、時間帯別に付与されるポイント数が示されている。このポイント数は、ピーク時間帯に近づくほど高くなるように設定されている。このようにデマンドレスポンスの要求の高さに従って、時間帯毎に需要家に付与するポイントを異ならせている。
【００８２】
このように時間帯に応じたポイント数を付与することで、需要家に対して、ピーク時間帯に近づくほど、小売業者の店舗に行くモチベーションを向上させる。つまり、ピーク時に需要家が店舗に行く際に、家電製品等の電気を消してから行くと考えられるため、デマンドレスポンス要求に応じた、ピーク時における電力の使用量の削減に貢献できる。
【００８３】
また、広告生成部３０４は、欄６０２に示されるような、家電製品を停止させた場合の電力、ＣＯ２の削減量と、家電製品を停止させた場合に付与されるポイントを提示しても良い。これにより、家電製品の電気を消した場合に生じる利点を認識できるため、需要家に対して節電をモチベーションの向上を図ることができる。
【００８４】
さらには、欄６０３に示されるように、需要家の購買履歴に基づいて、需要家による興味があると推測される商品を表示しても良い。その際に、小売業者の在庫情報を参照して、在庫に余裕がある商品を優先的に表示しても良い。欄６０３の店名毎に、地図へのリンクが設定されている。
【００８５】
欄６０３の店の配置は、どのような手法を用いても良いが、例えば、情報端末１８０の現在位置に基づいて配置する手法が考えられる。例えば、広告生成部３０４は、情報端末１８０の位置情報に基づいて、情報端末１８０の現在位置に近い店舗の順に、欄６０３内に、店名を上位から配置してもよい。他の手法としては、広告生成部３０４は、携帯端末１８０の過去の位置情報の履歴に基づいて、需要家の行動範囲を推定し、需要家がよく行く頻度が高い順に、欄６０３内に、当該範囲内の店名を上位から配置してもよい。
【００８６】
図６に示す例では、需要家が店舗に行くように促す広告情報を表示する例について説明した。しかしながら、このような広告情報を表示することに制限するものではない。
【００８７】
図７は、本実施形態のデータサーバ１２０の広告生成部３０４により生成される、広告情報の第２の例を示した図である。図７に示される広告情報は、需要家の情報端末１８０のポイント用アプリケーション１８５が表示する画面例とする。
【００８８】
図７に示される広告情報の例では、タイムセールの表示７０３と共に、節電プログラムに参加するか否かを選択可能とした例について説明する。図７に示す例では、電力の需要曲線と、電力の供給曲線と、が示されており、時間帯毎に節電に参加した場合に付与されるポイントが示されている。例えば、入力部１８３が、当該画面から、１２時〜１４時の時間帯７０１の選択を、需要家から受け付けた場合に、情報端末１８０の表示部１８２が、当該時間帯の節電への参加を確認するためのポップアップ７０２を表示する。さらに、入力部１８３が、当該ポップアップ７０２で“はい”７０４の選択を需要家から受け付けた場合に、通信部１８１が、ホームゲートウェイ１９５に対して、当該時間帯において、家電製品の電力の使用量を削減するよう要求する。これにより、需要家は、ピーク時間帯で節電行動を行うことができる。さらには、欄７０３にピーク時間帯におけるタイムセールを表示する。これにより、需要家がピーク時間帯に店舗に行った場合に、さらなる電力の使用量の削減を実現できる。
【００８９】
さらには、データサーバ１２０は、情報端末１８０に対して、需要家が行った節電情報を送信しても良い。図８は、本実施形態のデータサーバ１２０の制御部１２１により生成される、節電情報を例示した図である。図８に示される節電情報は、需要家の情報端末１８０のポイント用アプリケーション１８５の画面として提供される。
【００９０】
図８に示される節電情報の画面例では、欄８０１において、需要家が選択した単位毎の節電量（換言すれば、ネガワット量）を表示する。また、欄８０２において、需要家が行った節電に基づいて付与されたポイントの情報が表示されている。さらに、欄８０３において、付与されたポイントの大きい順を示した順位が示されている。これにより、需要家が、当該順位を参照することで、節電のモチベーションの向上を図ることができる。
【００９１】
図９は、本実施形態のデータサーバ１２０の広告生成部３０４により生成される、広告情報の第３の例を示した図である。図９に示される広告情報は、需要家の情報端末１８０のポイント用アプリケーション１８５の画面として提供される。図９に示される画面例では、需要家の現在のポイントが示されている。さらには、需要家がピーク時間帯に節電した場合に、交換可能な商品を提示する。当該交換可能な商品は、需要家の商品の購入履歴に基づいて選択された、需要家が興味を持つ可能性が高い商品とする。
【００９２】
このように、本実施形態のデータサーバ１２０は、デマンドレスポンス要求に従って、需要家に節電行動を起こさせるような広告情報等を、情報端末１８０等に送信する。その際に、データサーバ１２０は、需要家に利点がある広告情報を送信している。この当該広告情報に従った行動は、節電を行うために何かに耐える行動ではない。このため、デマンドレスポンス要求に従った節電を容易に実現できる。
【００９３】
さらには、広告生成部３０４は、需要家の電力使用履歴を参照して、電力の使用量が高い家電製品が存在していると推測した場合に、現在販売している家電製品のうち、電力の使用量が低減された家電製品を勧める広告情報を生成しても良い。
【００９４】
本実施形態のデータサーバ１２０は、上述した画面情報や広告情報を出力することで、需要家に対して節電のモチベーションの向上を図ることができる。
【００９５】
次に、本実施形態の電力管理システムにおける需要家に対して節電要求を行うまでの処理について説明する。図１０は、本実施形態の電力管理システムにおける上述した処理の手順を示すシーケンス図である。
【００９６】
まず、気象情報管理サーバ１１０の天候予測部１１２が、地域毎の天候を予測する（ステップＳ１００１）。そして、通信部１１３が、予測結果である天気予報等を電力管理サーバ１６０等に送信する（ステップＳ１００２）。
【００９７】
次に、電力管理サーバ１６０のＤＲ制御部１６３が、受信した天気予報等に基づいて、需要家等による電力の使用量を予測する（ステップＳ１００３）。そして、ＤＲ制御部１６３は、予測した電力の使用量が、電力会社が供給する電力量を上回るか否かを判断する（ステップＳ１００４）。なお、図１０に示すシーケンス図では、上回ると判断された場合について説明する。
【００９８】
そして、電力管理サーバ１６０のＤＲ制御部１６３が、上回ると判断した場合に、アグリゲータサーバ１５０に対して、デマンドレスポンスに協力した場合に与えられる協力金の通知と共に、デマンドレスポンスの発動を要求する（ステップＳ１００５）。なお、協力金の支払いはどのタイミングで行ってもよく、またどのような支払手法を用いても良い。
【００９９】
そして、アグリゲータサーバ１５０は、受信したデマンドレスポンスの発動要求に従って、需要家の情報端末１８０やホームゲートウェイ１９５に対して節電を要求する（ステップＳ１００６）。
【０１００】
上述した処理手順により、需要家毎にデマンドレスポンスに応じた節電が開始される。
【０１０１】
次に、本実施形態の電力管理システムにおける需要家が行った節電から、当該需要家に対して広告を送信するまでの処理について説明する。図１１は、本実施形態の電力管理システムにおける上述した処理の手順を示すシーケンス図である。
【０１０２】
まず、需要家の家庭又は施設に設けられた電力管理端末１７０の計測部１７３が、家庭又は施設内で使用された電力を計測する（ステップＳ１１０１）。そして、電力管理端末１７０の通信部１７１が、電力使用量をアグリゲータサーバ１５０に送信する（ステップＳ１１０２）。アグリゲータサーバ１５０は、需要家毎に送信される電力使用量から、需要家毎に行われた節電量、換言すれば需要家毎に創出されたネガワットを算出できる。
【０１０３】
そして、アグリゲータサーバ１５０のポイント演算部１５５は、需要家毎に、ネガワットに対応するポイントを発行し、記録する（ステップＳ１１０３）。このポイントは、金銭の代わりとして利用可能とする。なお、当該ポイントの原資は、電力会社からの協力金とする。
【０１０４】
そして、アグリゲータサーバ１５０の通信部１５１が、需要家毎に発行したポイント情報を、データサーバ１２０に通知する（ステップＳ１１０４）。これにより、データサーバ１２０は、ポイント記憶部１２６に需要家毎のポイント情報を記憶する。
【０１０５】
次に、データサーバ１２０の通信部１２２は、需要家の情報端末１８０から、小売業者用のポイントへの交換要求を受信する（ステップＳ１１０５）。
【０１０６】
そして、データサーバ１２０のポイント変換部３０３は、交換要求に応じて、アグリゲータから付与されたポイントを、小売業者用のポイントに変換し、記録する（ステップＳ１１０６）。なお、変換されたポイントに関する情報は、データサーバ１２０のポイント記憶部１２６で管理するほか、情報端末１８０や集計サーバ１３０等で管理するようにしても良い。
【０１０７】
そして、データサーバ１２０の通信部１２２が、情報端末１８０に対して、変換完了を通知する（ステップＳ１１０７）。
【０１０８】
これにより、需要家は、小売業者の店舗において、情報端末１８０で需要家の認証を行った際に、ポイントを利用して商品を購入できる。その際に、情報端末１８０は、ＰＯＳ端末１９０との間で、ポイントの利用で、商品を購入するための処理を行う（ステップＳ１１０８）。
【０１０９】
そして、ＰＯＳ端末１９０、及び集計サーバ１３０は、商品の購入処理を行う（ステップＳ１１０９）。そして、集計サーバ１３０は、情報端末１８０に対して電子レシートを通知する（ステップＳ１１１０）。そして、集計サーバ１３０においては、当該需要家が購入した商品に関する情報を記憶する。
【０１１０】
さらに、集計サーバ１３０の通信部１３１が、データサーバ１２０に対して、需要家の購入情報、及びポイント情報を、データサーバ１２０に通知する（ステップＳ１１１１）。なお、需要家の購入情報、及びポイント情報等のデータは、電子レシートとして、データサーバ１２０から需要家の情報端末１８０に送信してもよい。
【０１１１】
一方、データサーバ１２０は、商品管理サーバ１４０から、小売業者の在庫情報を受信する（ステップＳ１１１２）。
【０１１２】
また、データサーバ１２０の通信部１１２は、情報端末１８０から、情報端末１８０の現在の位置情報を受信する（ステップＳ１１１４）。
【０１１３】
そして、データサーバ１２０の通信部１１２は、受信した情報端末１８０の位置情報を、地図情報管理サーバ２００に送信する（ステップＳ１１１５）。
【０１１４】
そして、地図情報管理サーバ２００の制御部２０２は、情報端末１８０の位置情報に基づいて、情報端末１８０の現在位置の周辺を示した地図情報を生成する（ステップＳ１１１６）。そして、地図情報管理サーバ２００の通信部２０３は、生成した地図情報をデータサーバ１２０に送信する（ステップＳ１１１７）。
【０１１５】
そして、データサーバ１２０は、受信した在庫情報、需要家の購入情報、及びポイント情報、情報端末１８０の位置情報、情報端末１８０の周辺の地図情報に基づいて、需要家に対して適切な商品等が記載された広告情報を生成し、当該広告情報を送信する（ステップＳ１１１３）。
【０１１６】
上述した処理手順により、データサーバ１２０は、小売業者の在庫、及び需要家のニーズ、情報端末１８０の位置情報に応じた広告情報を送信できる。
【０１１７】
さらには、データサービス業者が、アグリゲータからの要求に応じて、需要家が節電行動に出るような広告情報を提供しても良い。本実施形態の電力管理システムにおける、需要家が節電行動に出るような広告情報を送信するまでの処理について説明する。図１２は、本実施形態の電力管理システムにおける上述した処理の手順を示すシーケンス図である。
【０１１８】
まず、アグリゲータサーバ１５０の通信部１５１は、データサーバ１２０に対して、電力管理サーバ１６０からのデマンドレスポンスに応じた節電要求情報を送信する（ステップＳ１２０１）。
【０１１９】
次に、アグリゲータサーバ１５０の通信部１５１は、データサーバ１２０に対して、需要家の電力の使用履歴情報を送信する（ステップＳ１２０２）。
【０１２０】
さらに、データサーバ１２０の通信部１２２は、商品管理サーバ１４０から、小売業者の商品情報を受信する（ステップＳ１２０３）。
【０１２１】
一方、情報端末１８０の通信部１８１は、需要家の情報端末１８０の現在位置を示した位置情報をデータサーバ１２０に送信する（ステップＳ１２２０）。
【０１２２】
そして、データサーバ１２０の通信部１１２は、地図情報管理サーバ２００に対して、情報端末１８０の位置情報を送信する（ステップＳ１２２１）。
【０１２３】
さらに、地図情報管理サーバ２００の制御部２０２は、受信した位置情報に基づいて、情報端末１８０の現在位置の周辺を示した地図情報を生成する。そして、位置情報管理サーバ２００の通信部２０３は、データサーバ１２０に対して地図データを送信する（ステップＳ１２２２）。
【０１２４】
そして、データサーバ１２０の広告生成部１２０４が、地図情報を含み、需要家に応じた広告情報を生成する（ステップＳ１２０４）。当該広告情報は、需要家が節電を行いたい時間帯に、小売業者の店舗に来店を促すような情報と共に、当該店舗への経路が示された地図情報へのリンクが記載されおり、例えば、図６、図７又は図９で示したような画面例が考えられる。
【０１２５】
次に、データサーバ１２０の通信部１２２が、情報端末１８０に対して、生成した広告情報を送信する（ステップＳ１２０５）。そして、需要家が、情報端末１８０に送信されてきた広告情報を参照する（ステップＳ１２０６）。これにより、需要家は、節電行動に移る。例えば、需要家は、商品のピーク時間におけるタイムセールが行われることを、広告情報から認識して、家電機器の運転を停止させる（ステップＳ１２０７）。この需要家の活動によって、ネガワットが創出される。そして、電力管理端末１７０は、節電行動に応じて停止された家電機器を含む、家庭や施設内で使用されている電力を計測し続ける（ステップＳ１２０８）。
【０１２６】
需要家は、タイムセールに行くために、小売業者の店舗に移動する（ステップＳ１２０９）。ここで、複数の小売業者がタイムセールを行う場合、需要家は、情報端末１８０から地図情報を参照して、出かける小売業者の店舗を決めることができる。そして、需要家は、広告情報に従って、小売業者から商品を購入できる。需要家のピーク時間帯における、小売業者の店舗への移動や、当該小売業者からの商品の購入により、需要家に対して広告情報で示されていたポイントが付与される。なお、当該ポイントの付与の原資は、電力会社からの協力金とする。
【０１２７】
一方、電力管理端末１７０は、家庭や施設内で計測された電力の使用量を、アグリゲータサーバ１５０に送信する（ステップＳ１２１０）。
【０１２８】
そして、アグリゲータサーバ１５０のポイント演算部１５５は、受信した電力使用量から、家電製品の運転停止によって創出されたネガワットに対応するポイントを、需要家に対して発行、記録する（ステップＳ１２１１）。
【０１２９】
上述した処理手順により、需要家に節電行動を起こさせることで、ネガワットの創出を実現できる。
【０１３０】
上述した実施形態では、需要家が貯めたポイントを利用可能な商品等が記載された広告情報を送信する。これにより、需要家は、ポイントの利用先を容易に認識できる。そこで、需要家は、ポイントを蓄積するためのモチベーションの維持や節電を行うための動機付けが可能となる。これにより、デマンドレスポンスに対応する、需要家の節電の協力が実現できる。 
【０１３１】
本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３２】
１１０…気象情報管理サーバ、１１１…天気情報管理部、１１２…天候予測部、１１３…通信部、１２０…データサーバ、１２１…制御部、１２２…通信部、１２３…記憶部、１２４…気象データ記憶部、１２５…顧客記憶部、１２６…ポイント記憶部、１２７…地図情報記憶部、１３０…集計サーバ、１３１…通信部、１３２…集計データ記憶部、１３３…制御部、１４０…商品管理サーバ、１４１…通信部、１４２…商品データ記憶部、１４３…制御部、１４４…入力部、１５０…アグリゲータサーバ、１５１…通信部、１５２…制御部、１５３…節電要求部、１５４…ネガワット管理部、１５５…ポイント演算部、１６０…電力管理サーバ、１６１…通信部、１６２…制御部、１６３…ＤＲ制御部、１６４…ネガワット管理部、１６５…協力金演算部、１７０…電力管理端末、１７１…通信部、１７２…表示部、１７３…計測部、１８０…情報端末、１８１…通信部、１８２…表示部、１８３…入力部、１８４…制御部、１８５…ポイント用アプリケーション、１８６…位置情報取得部、１９０…ＰＯＳ端末、１９１…通信部、１９２…表示部、１９３…入力部、１９４…制御部、１９５…ホームゲートウェイ、１９８…公衆ネットワーク、２００…地図情報管理サーバ、２０１…地図情報管理部、２０２…制御部、２０３…通信部、３０１…受信制御部、３０２…ポイント取得部、３０３…ポイント変換部、３０４…広告生成部、３０５…送信制御部。
【図１】
2016035752.tif 000003
【図２】
2016035752.tif 000004
【図３】
2016035752.tif 000005
【図４】
2016035752.tif 000006
【図５】
2016035752.tif 000007
【図６】
2016035752.tif 000008
【図７】
2016035752.tif 000009
【図８】
2016035752.tif 000010
【図９】
2016035752.tif 000011
【図１０】
2016035752.tif 000012
【図１１】
2016035752.tif 000013
【図１２】
2016035752.tif 000014